(57)【要約】【課題】  容器底部側に設けた開口９からの清掃・点検作業を容易に行うことができる処理物容器Ｙを提供する。【解決手段】  処理物を収容する容器本体１の底部に形成した開口９を塞ぐ開閉式の底カバー２を備え、前記開口９の周縁部において前記底カバー２に密接する枠状の受け部３が、下方側ほど容器外向きに拡がるテーパ形状の内周面３Ａを有し、平面視において容器本体１の内壁底端部１Ａと略同位置もしくはそれよりも容器外方に位置している。【選択図】        図２
2006043624.tif 000002
【特許請求の範囲】
【請求項１】
処理物を収容する容器本体の底部に形成した開口を塞ぐ開閉式の底カバーを備えた処理物容器であって、
前記開口の周縁部において前記底カバーに密接する枠状の受け部が、平面視において容器本体の内壁底端部と略同位置もしくはそれよりも容器外方に位置している処理物容器。
【請求項２】
前記受け部が、下方側ほど容器外向きに拡がるテーパ形状の内周面を有し、前記底カバーが、前記受け部の内周面に密接可能な逆テーパ形状の外周面を有している請求項１記載の処理物容器。
【請求項３】
前記底カバーが、容器本体に設けた支点周りに垂直面内で回動するアームに支持されて、下方から前記受け部に当接して前記開口を閉じる閉位置と前記受け部から下方に離間して前記開口を開ける開位置とに位置変更可能に構成されている請求項１又は２記載の処理物容器。
【請求項４】
前記支点を挟んで前記底カバーとは反対側に伸びるアーム延長部に、バランスウエイトが付設されている請求項３記載の処理物容器。
【請求項５】
前記処理物が、医薬、食品、電子材料のいずれかである請求項１〜４のいずれか１項に記載の処理物容器。
【請求項６】
前記容器本体の少なくとも下方側部分が、底部側ほど小径となる先細り形状に形成されている請求項１〜５のいずれか１項に記載の処理物容器。
【請求項７】
請求項１〜６のいずれか１項に記載の処理物容器を備える処理装置であって、
前記容器本体内に、容器本体の縦向き中心軸周りに駆動回転する攪拌部材が設けられている処理装置。
【請求項８】
請求項１〜６のいずれか１項に記載の処理物容器を備える処理装置であって、
円錐状に形成された前記容器本体の傾斜した横側面に沿う姿勢で容器本体の縦向き中心軸周りに駆動回転し、且つ、容器本体の縦向き中心軸周りの回転と同時に自己の長手軸芯周りに回転して容器底部側の処理物を容器上部側に持ち上げる搬送用スクリューが設けられている処理装置。
【請求項９】
前記底カバーが、前記搬送用スクリューの下端部と微小間隙を維持するように、容器内方に面した上面部を上向き凸状に形成されている請求項８記載の処理装置。
【発明の詳細な説明】
【技術分野】
【０００１】
本発明は、処理物を収容する容器本体の底部に形成した開口を塞ぐ開閉式の底カバーを備えた処理物容器、及び当該処理物容器を備えた処理装置に関する。
【背景技術】
【０００２】
上記処理物容器は、食品、医薬等の処理物を収容するものであり、当該容器を備えた処理装置では、例えば円錐形状の容器本体内に設けた回転スクリューや羽根等の攪拌部材を駆動させて、容器内の処理物に対して混合・攪拌・脱液等の処理を行う（例えば特許文献１参照）。
【０００３】
ところで、上記処理物容器では、容器本体の底部に容器内部の清掃・点検用の開口を形成し、当該開口を塞ぐ開閉式の底カバーを閉めた状態で処理動作を行うが、例えば処理物の種類を変更する場合には、上記底カバーを開けて容器内壁、攪拌部材等の水洗清掃・点検等を行うようにしている（例えば特許文献２参照）。
【０００４】
【特許文献１】特許第２７７３８８２号公報
【特許文献２】特開２００１−２８０８４３号公報
【発明の開示】
【発明が解決しようとする課題】
【０００５】
しかし、従来型の処理物容器では、図５に一例を示すように、容器底部側の開口の周縁部において底カバー１０１に密接する枠状の受け部１０２が容器内方に突出しているため邪魔になり、同時に受け部上に容器内の処理物が堆積するため、開口からの容器内壁及び搬送スクリュー等の清掃、点検作業が容易でないという不都合があった。尚、図中、受け部１０２は容器本体１０３の下端部箇所に連設形成されている。
また、特許文献２に記載の処理装置においても、容器の底部開口を覆う仕切り板（受け部に相当）を設けるとともに、当該仕切り板の一部に開けた孔を蓋体（底カバーに相当）で開閉するようにしているため、上記と同様な不都合が生じる。
【０００６】
本発明は、上記実情に鑑みてなされたものであり、その目的は、容器底部側に設けた開口からの清掃・点検作業を容易に行うことができる処理物容器、並びに、当該処理物容器を備えた処理装置を提供することにある。
【課題を解決するための手段】
【０００７】
上記目的を達成するための本発明に係る処理物容器の第一特徴構成は、図２および図３に例示するように、処理物を収容する容器本体１の底部に形成した開口９を塞ぐ開閉式の底カバー２を備えた処理物容器であって、前記開口９の周縁部において前記底カバー２に密接する枠状の受け部３が、平面視において容器本体１の内壁底端部１Ａと略同位置（図２の場合）もしくはそれよりも容器外方に位置している点にある。
【０００８】
すなわち、枠状の受け部３が平面視において容器本体１の内壁底端部１Ａよりも容器内方に突出していないので、底カバー２を開けたときに容器内の処理物が受け部３上に堆積せずに開口９を通して落下して容器外に排出され、また、開口９から容器内に対して清掃・点検作業を行うときに受け部３が作業の邪魔になることもない。
従って、容器底部側に設けた開口からの清掃・点検作業を容易に行うことができる処理物容器が提供される。
【０００９】
同第二特徴構成は、図２および図３に例示するように、前記受け部３が、下方側ほど容器外向きに拡がるテーパ形状の内周面３Ａを有し、前記底カバー２が、前記受け部３の内周面３Ａに密接可能な逆テーパ形状の外周面２Ａを有している点にある。
【００１０】
すなわち、底カバー２を下方から受け部３に当接させる場合に、受け部３の内周面３Ａのテーパ形状と底カバー２の外周面２Ａの逆テーパ形状の隙間が最初は広くて容易に底カバー２を受け部３に挿入することができ、次にその状態から次第に狭くなって、最後は両者のテーパ面が密接状態となって開口９が閉じられる。
従って、底カバーを受け部に対して容易に且つ確実に装着させることができる処理物容器の好適な実施形態が提供される。
【００１１】
同第三特徴構成は、図２および図３に例示するように、前記底カバー２が、容器本体１に設けた支点１Ｂ周りに垂直面内で回動するアーム６に支持されて、下方から前記受け部３に当接して前記開口９を閉じる閉位置と前記受け部３から下方に離間して前記開口９を開ける開位置とに位置変更可能に構成されている点にある。
【００１２】
すなわち、アーム６を支点１Ｂ周りに上下方向に回動操作することにより、底カバー２を開口９の閉位置と開位置とに容易に且つ確実に位置変更させることができる。
従って、底カバーの開閉操作性に優れた処理物容器の好適な実施形態が提供される。
【００１３】
同第四特徴構成は、図２および図３に例示するように、前記支点１Ｂを挟んで前記底カバー２とは反対側に伸びるアーム延長部６Ａに、バランスウエイト７が付設されている点にある。
【００１４】
すなわち、アーム６を支点１Ｂ周りに上方に回動操作して、底カバー２を開口９の閉位置に位置変更させるときに、アーム延長部６Ａに付設したバランスウエイト７が補助力として働くので、小さい操作力で閉位置に操作することができる。特に、底カバーが作業者の上方に位置するような場合に作業を容易にする。
従って、底カバーの閉操作性が改善された処理物容器の好適な実施形態が提供される。
【００１５】
同第五特徴構成は、前記処理物が、医薬、食品、電子材料のいずれかである点にある。
すなわち、各種処理物のうち、医薬、食品、電子材料は特に他の材料の混入や汚染を防止する必要があるが、本発明の処理物容器は容器内部の清掃や点検が容易にできるので、医薬、食品、電子材料のような処理物容器として有利である。
従って、医薬、食品、電子材料に適した処理物容器の好適な実施形態が提供される。
【００１６】
同第六特徴構成は、図１に例示するように、前記容器本体１の少なくとも下方側部分が、底部側ほど小径となる先細り形状に形成されている点にある。なお、図１には、先細り形状が円錐形状である場合を示すが、円錐形状に限るものではない。
【００１７】
すなわち、例えば容器上部から容器本体内に投入した処理物が重力の作用で容器の底部に向かって移動するときに容器中央側に集中する状態になるので、例えば底部箇所に設けた排出口から容器内の処理物を円滑に排出させることができる。
従って、処理物の排出作業が円滑にできる処理物容器の好適な実施形態が提供される。
【００１８】
本発明に係る処理装置の第一特徴構成は、上記第一から第六のいずれかの特徴構成の処理物容器を備える処理装置であって、前記容器本体内に、容器本体の縦向き中心軸周りに駆動回転する攪拌部材が設けられている点にある。
【００１９】
すなわち、上記攪拌部材が回転することによって、容器内の処理物が攪拌作用を受けて所望の処理がなされる。そして、処理後の容器内の残存処理物を底部側の開口から円滑に容器外に排出させることができる。
従って、本発明に係る処理物容器の利点を生かした処理装置が提供される。
【００２０】
同第二特徴構成は、上記第一から第六のいずれかの特徴構成の処理物容器を備える処理装置であって、図１に例示するように、円錐状に形成された前記容器本体１の傾斜した横側面１Ｃに沿う姿勢で容器本体１の縦向き中心軸Ｐ１周りに駆動回転し、且つ、容器本体１の縦向き中心軸Ｐ１周りの回転と同時に自己の長手軸芯Ｐ２周りに回転して容器底部側の処理物を容器上部側に持ち上げる搬送用スクリュー１０が設けられている点にある。
【００２１】
すなわち、上記搬送用スクリュー１０が容器本体１の縦向き中心軸Ｐ１周りに回転することによって円錐形状の容器内を満遍なく移動しながら、自己の長手軸芯Ｐ２周りに回転することによって底部側の処理物を容器上部側に持ち上げる。これにより、容器内の処理物に対する適切な混合攪拌処理が実現される。そして、処理後の容器内の残存処理物を底部側の開口から円滑に容器外に排出させることができる。
従って、本発明に係る処理物容器の利点を生かした処理装置が提供される。
【００２２】
同第三特徴構成は、図２および図３に例示するように、前記底カバー２が上記搬送用スクリュー１０の下端部と微小間隙を維持するように、容器内方に面した上面部２Ｂを凸状に形成されている点にある。
【００２３】
すなわち、上記搬送用スクリュー１０が容器本体１の縦向き中心軸Ｐ１周りに回転するとき、搬送用スクリュー１０の下端部１０Ａは当該縦向き中心軸Ｐ１を中心軸とした円錐形状に沿って移動する。そこで、底カバー２の上面部２Ｂを搬送用スクリュー１０の下端部１０Ａが描く円錐形状に対応するような凸状に形成し、底カバー２と搬送用スクリュー１０の下端部１０Ａとの間を微小間隙に維持する、即ちデッドスペースを極力生じさせないようにすることにより、容器底部の処理物に対して搬送用スクリュー１０の搬送作用が適切に及ぶようにして、処理不良の発生を回避させることができる。
従って、上記第二の特徴構成に係る処理装置の好適な実施形態が提供される。
【発明を実施するための最良の形態】
【００２４】
本発明に係る処理物容器及び当該処理物容器を備える処理装置の実施形態について図面に基づいて説明する。
図１に本発明の処理物容器Ｙと処理装置を示す。
処理物容器Ｙは、医薬、食品、電子材料などの処理物を収容する容器本体１と容器本体１の上部を塞ぐ上部側の蓋体４からなり、容器本体１の底部に形成した開口９（図３参照）を塞ぐ開閉式の底カバー２を備えている。容器本体１の少なくとも下方側部分が、底部側ほど小径となる先細り形状に形成されている。尚、図１では、容器本体１の全体が先細り形状に形成されているが、容器本体１の上方側部分が先細り形状でない形状（円筒状等）でもよく、先細り形状も円錐状に限らない。また処理物は粉体、液体のいずれでもよい。
【００２５】
円錐状に形成された上記容器本体１の傾斜した横側面１Ｃに沿う姿勢で容器本体１の縦向き中心軸Ｐ１周りに駆動回転し、且つ、容器本体１の縦向き中心軸Ｐ１周りの回転と同時に自己の長手軸芯Ｐ２周りに回転して容器底部側の処理物を容器上部側に持ち上げる搬送用スクリュー１０が設けられている。
【００２６】
前記蓋体４には、中央に上記搬送用スクリュー１０を上部側で片持ち支持するとともに縦向き中心軸Ｐ１周りの回転駆動及び長手軸芯Ｐ２周りの回転駆動させるためのモータＭが設置され、また、開閉式の投入口１１が形成されている。容器本体１の下部横側部には処理物の排出部５が設けられている。
【００２７】
図２および図３に示すように、前記開口９の周縁部において前記底カバー２に密接する枠状の受け部３が、平面視において容器本体１の内壁底端部１Ａと略同位置に位置している。なお、受け部３は容器本体１の内壁底端部１Ａよりも容器外方に位置していてもよい。そして、受け部３は、下方側ほど容器外向きに拡がるテーパ形状の内周面３Ａを有している。
【００２８】
一方、底カバー２は、上記受け部３の内周面３Ａに密接可能な逆テーパ形状の外周面２Ａを有し、さらに、底カバー２が、前記開口９を閉じた閉位置（図２参照）において、前記搬送用スクリュー１０の下端部１０Ａと微小間隙を維持するように、容器本体１内方に面した上面部２Ｂを上向き凸状に形成されている。なお、底カバー２の外周面２Ａの上部箇所、及び、受け部３の底部に当たる箇所に、夫々シール用のＯリング（パッキン）を保持する環状の受け溝２Ｃ，２Ｄが設けられている。
【００２９】
前記底カバー２が、容器本体１に設けた支点１Ｂ周りに垂直面内で回動するアーム６に支持されて、下方から前記受け部３に当接して前記開口９を閉じた閉位置（図２の状態）と前記受け部３から下方に離間して前記開口９を開けた開位置（図３の状態）とに位置変更可能に構成され、さらに、前記支点１Ｂを挟んで前記底カバー２とは反対側に伸びるアーム延長部６Ａに、バランスウエイト７が付設されている。
【００３０】
なお、上記容器本体１の内壁の表面など、処理物に接する部材には、付着防止処理を施している。例えば、５５〜７５μｍ前後の粒度をもつ、エメリー砂、合成砂、ガラスビーズ、その他ショットブラスト用の粉体による表面研磨処理によってミクロな凹凸を形成して、凝集物が付着しないようにすることができる。その他、バフ研磨、メッキ、電解研磨、表面コーティングなどの表面処理による付着防止処理を施してもよい。
【００３１】
〔別実施形態〕
上記実施形態の処理装置では、容器本体１内に傾斜姿勢で回転する搬送用スクリュー１０を設けたが、図４に示すように、例えば円錐形状の容器本体１内に、容器本体１の縦向き中心軸Ｐ３周りに駆動回転する攪拌部材Ｋを設けるにしてもよい。攪拌部材Ｋは、具体的には、図示しないモータで回転駆動される回転軸１５に支持された複数のパドル１６で構成され、各パドル１６は回転軸１５から放射状に伸びるとともに、その長さは円錐形の容器形状に合わせて、容器上部側では長く、容器底部側では短く形成している。
【産業上の利用可能性】
【００３２】
本発明に係る処理物容器は、医薬、食品、電子材料などの各種材料を混合する混合機、反応させる反応機、乾燥させる乾燥機などの処理装置に備える形態で使用でき、また、各種処理物を一次保管する貯蔵タンク等の形態でも使用できる。そして、いずれの形態においても、容器底部の開口を通して容器内部の清掃、点検等が行い易い利点を生かした使用が可能となる。
【図面の簡単な説明】
【００３３】
【図１】本発明に係る処理物容器および処理装置の正面一部断面図
【図２】本発明に係る処理物容器の底部拡大断面図
【図３】本発明に係る処理物容器の動作状態を示す底部拡大断面図
【図４】本発明に係る他の形態の処理装置を示す断面図
【図５】従来型の処理物容器の底部正面断面図
【符号の説明】
【００３４】
１      容器本体
１Ａ    内壁底端部
１Ｂ    支点
１Ｃ    横側面
２      底カバー
２Ａ    外周面
２Ｂ    上面部
３      受け部
３Ａ    内周面
６      アーム
６Ａ    アーム延長部
７      バランスウエイト
９      開口
１０    搬送用スクリュー
１０Ａ  下端部
Ｋ      攪拌部材
Ｐ１    縦向き中心軸
Ｐ２    長手軸芯
Ｐ３    縦向き中心軸
【図１】
2006043624.tif 000003
【図２】
2006043624.tif 000004
【図３】
2006043624.tif 000005
【図４】
2006043624.tif 000006
【図５】
2006043624.tif 000007